(57)【要約】【課題】正確な受信電力値を高速に得ることができる電子機器及び処理方法を提供すること。【解決手段】モードを選択するモード選択部１１と、選択されたモードに基づいて、減衰量とオフセット値を決定する制御部１２と、アンテナにより受信した受信信号を減衰量に基づいて減衰処理する減衰部１３と、減衰部１３で減衰処理された受信信号に対してオフセット値に基づいてデジタル復調処理を行う復調部１４と、復調部１４でデジタル復調処理された受信信号のビット誤り率を測定するビット誤り率測定部１５と、ビット誤り率と受信電力値の関係が対応付けられているテーブルが格納されている記憶部と、記憶部１６を参照してモード選択部１１によって選択されたモードに対応するテーブルを選択し、当該テーブルに基づいて、ビット誤り率測定部１５により測定されたビット誤り率に対応する受信電力値を特定する特定部１７と、を備える。【選択図】図２
2014192711.tif 000002
【特許請求の範囲】
【請求項１】
モードを選択するモード選択部と、
前記モード選択部によって選択されたモードに基づいて、減衰量とオフセット値を決定する制御部と、
アンテナにより受信した受信信号を前記減衰量に基づいて減衰処理する減衰部と、
前記減衰部で減衰処理された前記受信信号に対して前記オフセット値に基づいてデジタル復調処理を行う復調部と、
前記復調部でデジタル復調処理された前記受信信号のビット誤り率を測定するビット誤り率測定部と、
ビット誤り率と受信電力値の関係が対応付けられているテーブルが格納されている記憶部と、
前記記憶部を参照して前記モード選択部によって選択されたモードに対応するテーブルを選択し、当該テーブルに基づいて、前記ビット誤り率測定部により測定されたビット誤り率に対応する受信電力値を特定する特定部と、を備える電子機器。
【請求項２】
前記制御部は、前記特定部により特定した受信電力値に基づいて前記アンテナの指向性を測定する請求項１記載の電子機器。
【請求項３】
前記制御部は、前記特定部により特定した受信電力値に基づいて前記アンテナの水平及び垂直方向の角度を調整する請求項１記載の電子機器。
【請求項４】
モードを選択するモード選択工程と、
前記モード選択工程によって選択されたモードに基づいて、減衰量とオフセット値を決定する決定工程と、
アンテナにより受信した受信信号を前記減衰量に基づいて減衰処理する減衰工程と、
前記減衰工程で減衰処理された前記受信信号に対して前記オフセット値に基づいてデジタル復調処理を行う復調工程と、
前記復調工程でデジタル復調処理された前記受信信号のビット誤り率を測定するビット誤り率測定工程と、
ビット誤り率と受信電力値の関係が対応付けられているテーブルが格納されている記憶部を参照して、前記モード選択工程によって選択されたモードに対応するテーブルを選択し、当該テーブルに基づいて、前記ビット誤り率測定工程により測定されたビット誤り率に対応する受信電力値を特定する特定工程と、を備える処理方法。
【請求項５】
第１モード又は第２モードを選択するモード選択部と、
前記モード選択部により前記第１モードが選択された場合には、減衰量を第１の減衰量とし、かつオフセット値を第１のオフセット値にし、前記モード選択部により前記第２モードが選択された場合には、減衰量を第２の減衰量にし、オフセット値を第２のオフセット値にする制御部と、
アンテナにより受信した受信信号を前記第１の減衰量に基づいて減衰処理する第１減衰部と、
前記第１減衰部で減衰処理された前記受信信号に対して前記第１のオフセット値に基づいてデジタル復調処理を行う第１復調部と、
前記第１復調部でデジタル復調処理された前記受信信号のビット誤り率を測定する第１ビット誤り率測定部と、
アンテナにより受信した受信信号を前記第２の減衰量に基づいて減衰処理する第２減衰部と、
前記第２減衰部で減衰処理された前記受信信号に対して前記第２のオフセット値に基づいてデジタル復調処理を行う第２復調部と、
前記第２復調部でデジタル復調処理された前記受信信号のビット誤り率を測定する第２ビット誤り率測定部と、
ビット誤り率と受信電力値の関係が対応付けられているテーブルが格納されている記憶部と、
前記モード選択部によって前記第１モードが選択された場合には、前記第１モードに対応するテーブルを前記記憶部から選択し、当該テーブルに基づいて、前記第１ビット誤り率測定部により測定されたビット誤り率に対応する受信電力値を特定し、前記モード選択部によって前記第２モードが選択された場合には、前記第２モードに対応するテーブルを前記記憶部から選択し、当該テーブルに基づいて、前記第２ビット誤り率測定部により測定されたビット誤り率に対応する受信電力値を特定する特定部と、を備える電子機器。
【請求項６】
第１モード又は第２モードを選択するモード選択工程と、
前記モード選択工程により前記第１モードが選択された場合には、減衰量を第１の減衰量とし、かつオフセット値を第１のオフセット値にし、前記モード選択工程により前記第２モードが選択された場合には、減衰量を第２の減衰量にし、オフセット値を第２のオフセット値にする決定工程と、
アンテナにより受信した受信信号を前記第１の減衰量に基づいて減衰処理する第１減衰工程と、
前記第１減衰工程で減衰処理された前記受信信号に対して前記第１のオフセット値に基づいてデジタル復調処理を行う第１復調工程と、
前記第１復調工程でデジタル復調処理された前記受信信号のビット誤り率を測定する第１ビット誤り率測定工程と、
アンテナにより受信した受信信号を前記第２の減衰量に基づいて減衰処理する第２減衰工程と、
前記第２減衰工程で減衰処理された前記受信信号に対して前記第２のオフセット値に基づいてデジタル復調処理を行う第２復調工程と、
前記第２復調工程でデジタル復調処理された前記受信信号のビット誤り率を測定する第２ビット誤り率測定工程と、
前記モード選択工程によって前記第１モードが選択された場合には、前記第１モードに対応するテーブルを記憶部から選択し、当該テーブルに基づいて、前記第１ビット誤り率測定工程により測定されたビット誤り率に対応する受信電力値を特定し、前記モード選択工程によって前記第２モードが選択された場合には、前記第２モードに対応するテーブルを前記記憶部から選択し、当該テーブルに基づいて、前記第２ビット誤り率測定工程により測定されたビット誤り率に対応する受信電力値を特定する特定工程と、を備える処理方法。
【発明の詳細な説明】
【技術分野】
【０００１】
本発明は、受信電力値を特定する電子機器及び処理方法に関する。
【背景技術】
【０００２】
マイクロ波又はミリ波帯の伝送では、その受信状況を評価する際に受信電力の値を用いることが一般的である（特許文献１を参照）。
しかし、受信電力の瞬時的な変動は、測定回路中の容量性成分の存在によって観測波形が鈍ってしまうことから、正確な高速測定が困難になることが多い。また、仮に測定ができたとしても、受信電力は、瞬時的な値であるために、伝送装置の内部雑音等の特性変動の影響を受けやすい。
【先行技術文献】
【特許文献】
【０００３】
【特許文献１】特開２００７−１１０３８４号公報
【発明の概要】
【発明が解決しようとする課題】
【０００４】
ところで、一定時間内に測定された受信電力を平均化し、受信電力を平均値で表せば、上述の影響を取り除くことはできるが、高速測定のメリットが失われてしまう。
【０００５】
本発明は、マイクロ波又はミリ波帯の伝送において、内部雑音等の特性変動の影響を受けず、正確な受信電力値を高速に得ることができる電子機器及び処理方法を提供することを目的とする。
【課題を解決するための手段】
【０００６】
本発明に係る電子機器は、モードを選択するモード選択部と、前記モード選択部によって選択されたモードに基づいて、減衰量とオフセット値を決定する制御部と、アンテナにより受信した受信信号を前記減衰量に基づいて減衰処理する減衰部と、前記減衰部で減衰処理された前記受信信号に対して前記オフセット値に基づいてデジタル復調処理を行う復調部と、前記復調部でデジタル復調処理された前記受信信号のビット誤り率を測定するビット誤り率測定部と、ビット誤り率と受信電力値の関係が対応付けられているテーブルが格納されている記憶部と、前記記憶部を参照して前記モード選択部によって選択されたモードに対応するテーブルを選択し、当該テーブルに基づいて、前記ビット誤り率測定部により測定されたビット誤り率に対応する受信電力値を特定する特定部と、を備える構成である。
【０００７】
かかる構成によれば、電子機器は、ビット誤り率測定部により測定された受信信号のビット誤り率（ＢＥＲ）に基づいて受信電力値を特定するので、内部雑音等の特性変動の影響を受けず、正確な受信電力値を高速に得ることができる。
【０００８】
電子機器では、前記制御部は、前記特定部により特定した受信電力値に基づいて前記アンテナの指向性を測定する構成でもよい。
【０００９】
一般的に、アンテナの指向性の測定は、送受信アンテナを見通せる環境において、被測定対象である受信アンテナの向きと角度を変化させ、各位置における受信電力を順次測定することにより算出する。
ここで、受信電力を直接測定した場合には、装置の内部雑音等の特性変動の影響を受けやすく、正確な受信電力の測定が困難である。また、一定時間内に測定された受信電力を平均化し、受信電力を平均値で表せば、上述の影響を取り除くことはできるが、高速測定のメリットが失われてしまう。
かかる構成によれば、電子機器は、ビット誤り率測定部により測定された受信信号のビット誤り率に基づいて受信電力値を特定するので、内部雑音等の特性変動の影響を受けず、正確な受信電力値に基づいてアンテナの指向性を測定することができる。
【００１０】
電子機器では、前記制御部は、前記特定部により特定した受信電力値に基づいて前記アンテナの水平及び垂直方向の角度を調整する構成でもよい。
【００１１】
かかる構成によれば、電子機器は、ビット誤り率測定部により測定された受信信号のビット誤り率（ＢＥＲ）に基づいて受信電力値を特定するので、内部雑音等の特性変動の影響を受けず、正確な受信電力値に基づいてアンテナの水平及び垂直方向の角度を調整することができる。
【００１２】
本発明に係る処理方法は、モードを選択するモード選択工程と、前記モード選択工程によって選択されたモードに基づいて、減衰量とオフセット値を決定する決定工程と、アンテナにより受信した受信信号を前記減衰量に基づいて減衰処理する減衰工程と、前記減衰工程で減衰処理された前記受信信号に対して前記オフセット値に基づいてデジタル復調処理を行う復調工程と、前記復調工程でデジタル復調処理された前記受信信号のビット誤り率を測定するビット誤り率測定工程と、ビット誤り率と受信電力値の関係が対応付けられているテーブルが格納されている記憶部を参照して、前記モード選択工程によって選択されたモードに対応するテーブルを選択し、当該テーブルに基づいて、前記ビット誤り率測定工程により測定されたビット誤り率に対応する受信電力値を特定する特定工程と、を備える構成である。
【００１３】
かかる構成によれば、処理方法は、ビット誤り率測定工程により測定された受信信号のビット誤り率（ＢＥＲ）に基づいて受信電力値を特定するので、内部雑音等の特性変動の影響を受けず、正確な受信電力値を高速に得ることができる。
【００１４】
本発明に係る電子機器は、第１モード又は第２モードを選択するモード選択部と、前記モード選択部により前記第１モードが選択された場合には、減衰量を第１の減衰量とし、かつオフセット値を第１のオフセット値にし、前記モード選択部により前記第２モードが選択された場合には、減衰量を第２の減衰量にし、オフセット値を第２のオフセット値にする制御部と、アンテナにより受信した受信信号を前記第１の減衰量に基づいて減衰処理する第１減衰部と、前記第１減衰部で減衰処理された前記受信信号に対して前記第１のオフセット値に基づいてデジタル復調処理を行う第１復調部と、前記第１復調部でデジタル復調処理された前記受信信号のビット誤り率を測定する第１ビット誤り率測定部と、アンテナにより受信した受信信号を前記第２の減衰量に基づいて減衰処理する第２減衰部と、前記第２減衰部で減衰処理された前記受信信号に対して前記第２のオフセット値に基づいてデジタル復調処理を行う第２復調部と、前記第２復調部でデジタル復調処理された前記受信信号のビット誤り率を測定する第２ビット誤り率測定部と、ビット誤り率と受信電力値の関係が対応付けられているテーブルが格納されている記憶部と、前記モード選択部によって前記第１モードが選択された場合には、前記第１モードに対応するテーブルを前記記憶部から選択し、当該テーブルに基づいて、前記第１ビット誤り率測定部により測定されたビット誤り率に対応する受信電力値を特定し、前記モード選択部によって前記第２モードが選択された場合には、前記第２モードに対応するテーブルを前記記憶部から選択し、当該テーブルに基づいて、前記第２ビット誤り率測定部により測定されたビット誤り率に対応する受信電力値を特定する特定部と、を備える構成である。
【００１５】
かかる構成によれば、電子機器は、第１モード及び第２モードにおけるそれぞれの受信電力値を特定するので、広いダイナミックレンジで受信電力値を得ることができる。
【００１６】
本発明に係る処理方法は、第１モード又は第２モードを選択するモード選択工程と、前記モード選択工程により前記第１モードが選択された場合には、減衰量を第１の減衰量とし、かつオフセット値を第１のオフセット値にし、前記モード選択工程により前記第２モードが選択された場合には、減衰量を第２の減衰量にし、オフセット値を第２のオフセット値にする決定工程と、アンテナにより受信した受信信号を前記第１の減衰量に基づいて減衰処理する第１減衰工程と、前記第１減衰工程で減衰処理された前記受信信号に対して前記第１のオフセット値に基づいてデジタル復調処理を行う第１復調工程と、前記第１復調工程でデジタル復調処理された前記受信信号のビット誤り率を測定する第１ビット誤り率測定工程と、アンテナにより受信した受信信号を前記第２の減衰量に基づいて減衰処理する第２減衰工程と、前記第２減衰工程で減衰処理された前記受信信号に対して前記第２のオフセット値に基づいてデジタル復調処理を行う第２復調工程と、前記第２復調工程でデジタル復調処理された前記受信信号のビット誤り率を測定する第２ビット誤り率測定工程と、前記モード選択工程によって前記第１モードが選択された場合には、前記第１モードに対応するテーブルを記憶部から選択し、当該テーブルに基づいて、前記第１ビット誤り率測定工程により測定されたビット誤り率に対応する受信電力値を特定し、前記モード選択工程によって前記第２モードが選択された場合には、前記第２モードに対応するテーブルを前記記憶部から選択し、当該テーブルに基づいて、前記第２ビット誤り率測定工程により測定されたビット誤り率に対応する受信電力値を特定する特定工程と、を備える構成である。
【００１７】
かかる構成によれば、処理方法は、第１モード及び第２モードにおけるそれぞれの受信電力値を特定するので、広いダイナミックレンジで受信電力値を得ることができる。
【発明の効果】
【００１８】
本発明によれば、正確な受信電力値を高速に得ることができる。
【図面の簡単な説明】
【００１９】
【図１】受信電力（ＣＮ比）とビット誤り率（ＢＥＲ）の関係についての説明に供する図である。
【図２】電子機器の第１構成を示すブロック図である。
【図３】電子機器の第２構成を示すブロック図である。
【発明を実施するための形態】
【００２０】
マイクロ波及びミリ波帯の通信において、受信状況を評価する場合には、受信電力を用いるのが一般的である。
受信電力を直接測定する場合には、受信装置で受信した電波を電圧又は電流に変換し、外部装置により、当該電圧又は電流に基づいて受信電力値を算出する。ところで、外部装置では、内部に配置されている回路基板の容量性成分によって、観測波形が鈍ってしまい、受信電力値を正確に測定することが困難になることがある。
【００２１】
また、受信電力値は、瞬時的な値であるため、受信装置や外部装置の特性変動（電源の変動や雑音等）の影響を受けやすい。
そこで、この特性変動の影響を取り除くために、外部装置によって、受信電力値を時間平均により算出することが考えられるが、測定に時間がかかってしまうデメリットがある。
【００２２】
マイクロ波及びミリ波帯の見通し通信においては、雑音は、熱雑音が支配的であり、また、伝送するデジタル信号に生じる誤り（以下、伝送誤りという）は、バースト誤りよりもランダム誤りとなる場合が多い。
【００２３】
また、このような環境では、受信電力（ＣＮ比）とビット誤り率（ＢＥＲ）との間には、再現性のよい相関関係がある。よって、ビット誤り率（ＢＥＲ）の測定結果に基づいて、受信電力値を推定することが可能になる。
【００２４】
また、ビット誤り率（ＢＥＲ）は、受信した全ビット数に対するエラービットの数の比であり、疑似ランダム・ビット列等を用いて測定する。よって、ビット誤り率（ＢＥＲ）を測定するためには、ある程度の時間が必要になる。
ところで、１Ｇｂｐｓの高速デジタル信号のデータ通信を想定した場合、１／１００秒という短時間であっても１０００万個のビットが含まれていることになる。
よって、高速デジタル信号のデータ通信においては、短時間（例えば、１／１００秒）に受信した全ビット数（１０００万個）に対するエラービットの数の比を計算することにより、ビット誤り率（ＢＥＲ）を測定することができる。このことは、瞬時的（１／１００秒程度）な測定にもかかわらず、信頼性の高い測定結果が得られることを意味している。
【００２５】
ところで、伝送誤りにランダム誤りとバースト誤りが含まれる場合には、ランダム誤りのみの場合と比べると、受信電力（ＣＮ比）とビット誤り率（ＢＥＲ）の関係が変化し、受信電力の絶対値を推定することが難しくなる。しかし、瞬時的（１／１００秒程度）な測定であっても、平均化された信頼性の高い測定結果が得られることの意義は失われない。
【００２６】
よって、伝送誤りにランダム誤りとバースト誤りが含まれていても、高速デジタル信号のビット誤り率（ＢＥＲ）に基づいて、受信電力の変動を高速かつ高精度に測定することが可能になる。
【００２７】
また、マイクロ波又はミリ波の通信では、さまざまな変復調方式が用いられるが、代表としてＡＳＫ変調方式について説明する。
ＡＳＫ変調方式は、送信データのビット列に対応して搬送波の振幅を変化させることで送信データを送る方式である。最も単純なものとして、搬送波をスイッチ等で離散的にオン／オフする場合を考えることができる。
なお、以下では、デジタル信号が「０」で搬送波「オフ」とし、デジタル信号が「１」で搬送波「オン」とする。
【００２８】
また、ＡＳＫ変調方式は、オンオフ変調（ＯＯＫ）とも呼ばれている。ただし、大抵の場合、ＡＳＫ変調方式とＯＯＫ変調方式は、明確に区別されず、単にＡＳＫと呼ばれている。
【００２９】
変調及び復調装置は、他の変調方式の装置と比べ、複雑かつ高価なものではない。そのため、ＡＳＫ変調方式は、ミリ波帯やサブミリ波帯の伝送装置を始め、光ファイバでデータ送信を行なう場合に一般に使用されている。
【００３０】
ＡＳＫ変調方式では、デジタル信号が「０」であるか「１」であるかを判定する。このとき、判定の閾値となる値（オフセット値）を変えると、受信電力（ＣＮ比）とビット誤り率（ＢＥＲ）の関係は、図１に示すように変化する。
【００３１】
第１モードでは、受信電力が０．２のとき、ビット誤り率（ＢＥＲ）が１０−２程度で受信できていて、受信電力が大きくなるにつれて、ビット誤り率（ＢＥＲ）が漸次改善する特性を示す。
【００３２】
第２モードでは、必要な受信電力が第１モードに比べ高く、受信電力が０．６程度なければビット誤り率（ＢＥＲ）が１０−２以下とならないが、一旦、そのレベルまでいくと、受信電力がわずかに改善しても、ビット誤り率（ＢＥＲ）が飛躍的によくなる、すなわち、ビット誤り率（ＢＥＲ）が急峻に変動することがわかる。これは、受信電力に対してビット誤り率（ＢＥＲ）の感度がよいということである。
【００３３】
これらのモードを選択すること、又は組み合わせることで、目的に対応した受信電力の範囲において、高速で高精度の受信電力を測定する電子機器を提供することが可能になる。
【００３４】
以下に、各モードに応じて算出した受信信号のビット誤り率（ＢＥＲ）を用いて、高速かつ高精度に受信電力値を特定する電子機器１の構成と動作について説明する。
【００３５】
＜第１構成＞
電子機器１は、図２に示すように、モード選択部１１と、制御部１２と、減衰部１３と、復調部１４と、ビット誤り率測定部１５と、記憶部１６と、特定部１７と、を備える。
【００３６】
モード選択部１１は、モードを選択する。例えば、モード選択部１１は、ユーザによる操作部（不図示）の操作に応じて、モードを選択する。また、モードは、図１に示すように、第１モードと第２モードの２つであるとして説明するが、これに限られず、３つ以上あってもよい。
【００３７】
制御部１２は、モード選択部１１によって選択されたモードに基づいて、減衰量とオフセット値を決定する。例えば、記憶部１６には、モードに対応して、減衰量とオフセット値が設定されているテーブルＡが格納されている。制御部１２は、モード選択部１１によって選択されたモードに基づいて、記憶部１６を参照して、減衰量とオフセット値を決定する。
【００３８】
減衰部１３は、受信アンテナ部２０により受信した受信信号を制御部１２により決定された減衰量に基づいて減衰処理する。
復調部１４は、減衰部１３で減衰処理された受信信号に対して、制御部１２により決定されたオフセット値に基づいてデジタル復調処理を行う。
【００３９】
ビット誤り率測定部１５は、復調部１４でデジタル復調処理された受信信号のビット誤り率（ＢＥＲ）を測定する。
記憶部１６は、ビット誤り率（ＢＥＲ）と受信電力値の関係が対応付けられているテーブルＢが格納されている。
特定部１７は、記憶部１６を参照してモード選択部１１によって選択されたモードに対応するテーブルＢを選択し、当該テーブルＢに基づいて、ビット誤り率測定部１５により測定されたビット誤り率（ＢＥＲ）に対応する受信電力値を特定する。
【００４０】
このようにして、電子機器１は、ビット誤り率測定部１５により測定された受信信号のビット誤り率（ＢＥＲ）に基づいて受信電力値を求めるので、内部雑音等の特性変動の影響を受けず、短時間で正確な受信電力値を求めることができる。
【００４１】
また、電子機器１の技術的特徴を利用した実施例について以下に説明する。
＜実施例１＞
電子機器１により受信アンテナ部２０の指向性を測定する構成について説明する。
一般的に、アンテナの指向性は、送信アンテナ部と受信アンテナ部とが互いに見通せる環境において、被測定対象である受信アンテナ部の向きと角度を変化させ、各位置における受信電力値を順次測定することにより算出する。
【００４２】
ここで、受信電力値を直接測定した場合には、装置の内部雑音等の特性変動の影響を受けやすく、正確な受信電力値の測定が困難になる。なお、直接測定した受信電力値を所定時間で平均化すれば、上述の影響を低減することができるが、受信電力値を平均化するための所定時間分だけ測定が遅れてしまうデメリットがある。
【００４３】
よって、従来の構成では、不正確な受信電力値に基づいて短時間で受信アンテナ部の指向性の測定をするか、又は、時間をかけて正確な受信電力値に基づいて受信アンテナ部の指向性の測定を行っていた。
【００４４】
そこで、電子機器１の制御部１２は、特定部１７により特定した受信電力値に基づいて受信アンテナ部２０の指向性を測定する。
特定部１７により特定される受信電力値は、ビット誤り率測定部１５により測定された受信信号のビット誤り率（ＢＥＲ）に基づいて求められるので、内部雑音等の特性変動の影響を受けず、短時間で正確な値である。
よって、電子機器１は、正確な受信電力値に基づいて短時間で受信アンテナ部２０の指向性の測定を行うことができる。
【００４５】
＜実施例２＞
電子機器１により受信アンテナ部２０の方向調整する構成について説明する。
指向性アンテナを用いたマイクロ波又はミリ波等の無線伝送システムでは、送信アンテナ部と受信アンテナ部を最適な角度で正対させる必要がある。
無線伝送システムでは、例えば、受信アンテナ部の方向を変動させながら受信電力値を測定し、受信アンテナ部の受信電力値が所定の値を超える方向、又は受信電力値が最大となる方向になるように、受信アンテナ部の方向調整を行う。
【００４６】
ここで、受信電力値を直接測定した場合には、装置の内部雑音等の特性変動の影響を受けやすく、正確な受信電力値の測定が困難になる。なお、直接測定した受信電力値を所定時間で平均化すれば、上述の影響を低減することができるが、受信電力値を平均化するための所定時間分だけ測定が遅れてしまうデメリットがある。
【００４７】
よって、従来の構成では、不正確な受信電力値に基づいて短時間で受信アンテナ部の方向調整を行うか、又は、時間をかけて正確な受信電力値に基づいて受信アンテナ部の方向調整を行っていた。
【００４８】
本実施形態に係る電子機器１は、ビット誤り率測定部１５により測定された受信信号のビット誤り率（ＢＥＲ）に基づいて受信電力値を求めるので、内部雑音等の特性変動の影響を受けず、短時間で正確な受信電力値を求めることができる。
制御部１２は、正確な受信電力値に基づいて短時間で受信アンテナ部２０の水平及び垂直方向の角度の調整（方向調整）を行う。
【００４９】
つぎに、受信アンテナ部２０の構成について説明する。
受信アンテナ部２０は、フェーズドアレーアンテナにより構成される。フェーズドアレーアンテナは、多数のアンテナ素子を組み合わせて１つのアンテナとして動作させることで、アンテナの指向性を任意の方向に形成できる特徴をもつ可変指向性アンテナである。
【００５０】
このような構成によれば、制御部１２は、正確な受信電力値に基づいて受信アンテナ部２０の指向性を調整することにより、受信アンテナ部２０の方向調整を行うことができる。
【００５１】
また、受信アンテナ部２０は、アンテナの水平及び垂直方向を機械的に制御する回転台にアンテナが載置される構成でもよい。
このような構成によれば、制御部１２は、正確な受信電力値に基づいて回転台を制御することにより、受信アンテナ部２０の方向調整を行うことができる。
【００５２】
＜実施例３＞
電子機器１により降雨減衰量を測定する構成について説明する。
マイクロ波又はミリ波等の無線伝送システムでは、降雨の影響を受けると受信電力値が減衰することが分かっている。電子機器１は、受信電力値の減衰量を計測することにより、降雨減衰量を測定する。
【００５３】
ここで、受信電力値を直接測定した場合には、装置の内部雑音等の特性変動の影響を受けやすく、正確な受信電力値の測定が困難になる。なお、直接測定した受信電力値を所定時間で平均化すれば、上述の影響を低減することができるが、受信電力値を平均化するための所定時間分だけ測定が遅れてしまうデメリットがある。
【００５４】
そうすると、不正確な受信電力値に基づいて降雨減衰量を測定するか、又は、時間をかけて正確な受信電力値に基づいて降雨減衰量を測定することになる。
【００５５】
本実施形態に係る電子機器１は、ビット誤り率測定部１５により測定された受信信号のビット誤り率（ＢＥＲ）に基づいて受信電力値を求めるので、内部雑音等の特性変動の影響を受けず、短時間で正確な受信電力値を求めることができる。
制御部１２は、この正確な受信電力値の減衰量に基づいて、降雨減衰量を算出する。
【００５６】
具体的には、電子機器１は、予め、人工的に降雨量ｘ［ｍｍ／ｈ］を変化させたときの受信電力値をそれぞれ計測し、降雨量と受信電力値（降雨減衰量）の対応関係を示すテーブルＣを作成し、作成したテーブルＣを記憶部１６に格納させておく。
【００５７】
制御部１２は、ビット誤り率測定部１５により測定された受信信号のビット誤り率（ＢＥＲ）に基づいて受信電力値（降雨減衰量）を求め、記憶部１６に記憶されているテーブルＣを参照し、降雨量を算出する。
【００５８】
このようにして、電子機器１は、ビット誤り率測定部１５により測定された受信信号のビット誤り率（ＢＥＲ）に基づいて受信電力値を特定し、受信電力値から降雨量を測定することができる。
【００５９】
＜実施例４＞
電子機器１により対象物に混入している異物の有無を判断する構成について説明する。
例えば、ベルトの上に対象物を載せて移動させる装置（例えば、ベルトコンベア）において、ベルトの下方に送信アンテナを配置し、ベルトの上方に受信アンテナを配置する。なお、送信アンテナと受信アンテナとは対向している。
この状態において、ベルトを動かし、送信アンテナからマイクロ波又はミリ波の電波を送信し、受信アンテナで受信する。
【００６０】
制御部１２は、特定部１７により特定した受信電力値に基づいて、ベルトの上の対象物の中に異物が混入しているか否かの有無を判断する。
【００６１】
具体的には、電子機器１は、予め、異物が混入していない対象物をベルトの上に載せて移動させている状態において、送信アンテナから電波を送信し、対象物とベルトを透過してきた電波を受信アンテナにより受信し、そのときの受信電力値を基準値として記憶部１６に記憶させておく。
【００６２】
制御部１２は、特定部１７により特定した受信電力値に基づいて、記憶部１６に記憶されている基準値を参照し、受信電力値が基準値から所定値以上減衰していると判断した場合には、対象物の中に異物が混入していると判断する。
【００６３】
また、電子機器１は、対象物に異物が混入していると判断した場合には、アラームを鳴動させたり、下流側に配置されている異物を取り除く装置に信号を送信するような構成でもよい。
【００６４】
＜第２構成＞
第１構成に係る電子機器１は、選択された一つのモードに応じた減衰量とオフセット値を設定し、一つの受信電力値を求めるものである。
第２構成に係る電子機器２は、選択された二つのモードに応じた減衰量とオフセット値をそれぞれ設定し、二つの受信電力値を求め、求めた受信電力値を事後的に使い分けるものである。第２構成に係る電子機器２は、測定する受信電力値のレベルや変動幅が不明確である場合にも対応できるように、広いダイナミックレンジでの測定をすることができる。
以下に、電子機器２の構成と動作について説明する。
【００６５】
電子機器２は、図３に示すように、モード選択部２１と、制御部２２と、第１減衰部２３と、第１復調部２４と、第１ビット誤り率測定部２５と、第２減衰部２６と、第２復調部２７と、第２ビット誤り率測定部２８と、記憶部２９と、特定部３０と、を備える。
【００６６】
なお、モード選択部２１は、実質的に、モード選択部１１に相当する。制御部２２は、実質的に、制御部１２に相当する。第１減衰部２３及び第２減衰部２６は、実質的に、減衰部１３に相当する。第１復調部２４及び第２復調部２７は、実質的に、復調部１４に相当する。第１ビット誤り率測定部２５及び第２ビット誤り率測定部２８は、実質的に、ビット誤り率測定部１５に相当する。記憶部２９は、実質的に、記憶部１６に相当する。特定部３０は、実質的に、特定部１７に相当する。
【００６７】
モード選択部２１は、第１モード又は第２モードを選択する。
制御部２２は、モード選択部２１により第１モードが選択された場合には、減衰量を第１の減衰量とし、かつオフセット値を第１のオフセット値にし、モード選択部２１により第２モードが選択された場合には、減衰量を第２の減衰量にし、オフセット値を第２のオフセット値にする。
【００６８】
第１減衰部２３は、アンテナにより受信した受信信号を第１の減衰量に基づいて減衰処理する。
第１復調部２４は、第１減衰部２３で減衰処理された受信信号に対して第１のオフセット値に基づいてデジタル復調処理を行う。
第１ビット誤り率測定部２５は、第１復調部２４でデジタル復調処理された受信信号のビット誤り率を測定する。
【００６９】
第２減衰部２６は、アンテナにより受信した受信信号を第２の減衰量に基づいて減衰処理する。
第２復調部２７は、第２減衰部２６で減衰処理された受信信号に対して第２のオフセット値に基づいてデジタル復調処理を行う。
第２ビット誤り率測定部２８は、第２復調部２７でデジタル復調処理された受信信号のビット誤り率を測定する。
【００７０】
記憶部２９は、ビット誤り率と受信電力値の関係が対応付けられているテーブルが格納されている。
【００７１】
特定部３０は、モード選択部２１によって第１モードが選択された場合には、第１モードに対応するテーブルを記憶部２９から選択し、当該テーブルに基づいて、第１ビット誤り率測定部２５により測定されたビット誤り率に対応する受信電力値を特定する。
また、特定部３０は、モード選択部２１によって第２モードが選択された場合には、第２モードに対応するテーブルを記憶部２９から選択し、当該テーブルに基づいて、第２ビット誤り率測定部２８により測定されたビット誤り率に対応する受信電力値を特定する。
【００７２】
このようにして、電子機器２は、第１モード及び第２モードにおけるそれぞれの受信電力値を特定するので、広いダイナミックレンジで受信電力値を求めることができる。
【００７３】
なお、上述では、主に電子機器の構成と動作について説明したが、これに限られず、各構成要素を備え、ビット誤り率（ＢＥＲ）に基づいて正確な受信電力値を高速に測定するための方法、及びプログラムとして構成されてもよい。
【００７４】
さらに、電子機器の機能を実現するためのプログラムをコンピュータで読み取り可能な記録媒体に記録して、この記録媒体に記録されたプログラムをコンピュータシステムに読み込ませ、実行することによって実現してもよい。
【００７５】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００７６】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００７７】
１  電子機器
１１、２１  モード選択部
１２、２２  制御部
１３  減衰部
１４  復調部
１５  ビット誤り率測定部
１６、２９  記憶部
１７、３０  特定部
２０  受信アンテナ部
２３  第１減衰部
２４  第１復調部
２５  第１ビット誤り率測定部
２６  第２減衰部
２７  第２復調部
２８  第２ビット誤り率測定部
【図１】
2014192711.tif 000003
【図２】
2014192711.tif 000004
【図３】
2014192711.tif 000005